(57)【要約】  人間の環境における環境物理特性を制御するシステム及び方法、カラー及び強度調節可能なランプ、電子装置並びにコンピュータプログラムプロダクトが提供される。システム（１００）は、環境影響手段（１０２）、センサ（１０４）、入力手段（１３４）及びコントローラ（１３０）を有する。環境影響手段（１０２）は、環境物理特性の所望される影響を示す制御信号に応答して、環境物理特性を変更する。センサ（１０４）は、人間（１０５）の生理状態を表すセンサ信号（１２２）を取得する。入力手段（１３４）は、環境物理特性に関するユーザ設定を表すユーザ設定信号（１３２）を取得する。コントローラ（１３０）は、センサ信号（１２２）及びユーザ設定信号（１３２）を受信し、オリジナル関数（１１４）をセンサ信号（１２２）に適用することによって、制御信号（１１２９を生成する。コントローラ（１３０）は、ユーザ設定信号（１３２）の受信に応答して適応された関数を規定し、適応された関数は、ユーザ設定信号（１３２）の受信時に生じるセンサ信号（１２２）に適用される場合、オリジナル関数（１１４）がユーザ設定信号（１３２）の受信時に生じるセンサ信号に適用されるときより環境物理特性をユーザ設定により近いものにする制御信号（１１２）を提供する。コントローラ（１３０）は、その後は適応された関数を適用する。最後に、コントローラ（１３０）は、適用された適応された関数を他の関数に対して漸進的に変更する。
2013527967.tif 000002
【特許請求の範囲】
【請求項１】
人間の環境における環境物理特性を制御するシステムであって、
前記環境物理特性の所望される影響を示す制御信号に応答して、前記環境物理特性を変更する環境影響手段と、
前記人間の生理状態を表すセンサ信号を取得するセンサと、
前記環境物理特性に関するユーザ設定を表すユーザ設定信号を取得する入力手段と、
前記センサ信号と前記ユーザ設定信号とを受信し、前記センサ信号にオリジナル関数を適用することによって前記制御信号を生成するコントローラと、
を有し、
前記コントローラは、
ｉ）前記ユーザ設定信号の受信に応答して、適応された関数を規定し、前記適応された関数は、前記ユーザ設定信号の受信時に生じる前記センサ信号に適用される場合、前記オリジナル関数が前記ユーザ設定信号の受信時に生じる前記センサ信号に適用されたときより前記環境物理特性を前記ユーザ設定により近いものにする前記制御信号を提供し、
ｉｉ）前記制御信号を生成するため、前記適応された関数を適用し、
ｉｉｉ）前記適用された適応された関数を他の関数に対して徐々に変化させる、
よう構成されるシステム。
【請求項２】
前記適応された関数は、前記ユーザ設定の受信時に生じる前記センサ信号に適用される場合、前記環境物理特性を前記ユーザ設定に実質的に等しくなるようにする前記制御信号を提供する、請求項１記載のシステム。
【請求項３】
前記コントローラは、前記ユーザ設定信号の受信時点前には前の関数を適用するよう構成され、
前記コントローラは、前記適応された関数を規定するため、前記前の関数と限定的な帯域幅を有するさらなる関数とを合成するよう構成され、
前記限定的な帯域幅は、前記さらなる関数がゼロと実質的に異なる値を提供する所定の範囲であり、
前記限定的な帯域幅は、前記ユーザ設定信号の受信時に生じる前記センサ信号の値のまわりに構成される、請求項１記載のシステム。
【請求項４】
前記さらなる関数は、ガウス関数に基づく、請求項３記載のシステム。
【請求項５】
前記コントローラはさらに、前記センサ信号が所定の可変性間隔の範囲内で変化する場合、前記制御信号が所定の偏差間隔の範囲内に維持されるように、前記適応された関数を規定するよう構成される、請求項１記載のシステム。
【請求項６】
前記コントローラはさらに、前記ユーザ設定信号の受信時に生じる前記センサ信号の値のまわりの所定の範囲外の値を有する前記センサ信号の受信時に限って、前記適用された適応された関数の漸進的変更を開始するよう構成される、請求項１記載のシステム。
【請求項７】
前記コントローラは、標準的な所定の関数を格納するよう構成され、
前記適用された適応された関数の漸進的変更は、前記標準的な所定の関数に対するものである、請求項１記載のシステム。
【請求項８】
前記コントローラは、前記ユーザ設定信号の受信時点前には前の関数を適用するよう構成され、
前記コントローラはさらに、前記適応された関数を規定した後、前記適応された関数と前記前の関数とを合成することによって、前記他の関数を規定するよう構成される、請求項１記載のシステム。
【請求項９】
前記他の関数は、前記前の関数と前記適応された関数との加重平均である、請求項８記載のシステム。
【請求項１０】
前記環境物理特性は、前記環境の光の特性、前記環境における音の特性、温度、湿度、前記環境におけるオブジェクト又はオブジェクトの一部の特性若しくは動き、前記人間が物理的に接触するオブジェクトの特性若しくは動き、又は前記環境の臭いの少なくとも１つを有する、請求項１記載のシステム。
【請求項１１】
前記センサ信号は、前記人間の生理状態、皮膚温度、体幹温度、皮膚伝導性、血圧、心拍、心拍可変性、前記人間の動き、呼吸頻度、呼吸頻度可変性、ＥＥＧアクティビティ、目のアクティビティ、前記人間に直接関連する音の特性、又はＥＣＧ情報の少なくとも１つに関する情報を有する、請求項１記載のシステム。
【請求項１２】
請求項１記載のシステムを有するカラー及び強度調節可能なランプ。
【請求項１３】
請求項１記載のシステムを有する電子装置。
【請求項１４】
人間の環境における環境物理特性を制御する方法であって、
前記人間の生理状態を表すセンサ信号をセンサにより取得するステップと、
前記センサ信号をコントローラに提供するステップと、
前記センサ信号にオリジナル関数を適用することによって、前記環境物理特性の所望される影響を示す制御信号を前記コントローラによって生成するステップと、
前記制御信号を環境影響手段に提供するステップと、
前記制御信号の受信に応答して、前記環境影響手段によって前記環境物理特性を変更するステップと、
前記環境物理特性に関するユーザ設定を表すユーザ設定信号を入力手段によって取得するステップと、
前記ユーザ設定信号を前記コントローラに提供するステップと、
前記ユーザ設定の受信時に生じる前記センサ信号に適用される場合、前記オリジナル関数が前記ユーザ設定の受信時に生じる前記センサ信号に適用されるときより前記環境物理特性が前記ユーザ設定により近いものになるようにする前記制御信号を提供する適応された関数を規定するステップと、
前記コントローラにおいて前記適応された関数を適用するステップと、
前記適応された関数を他の関数に対して漸進的に変更するステップと、
を有する方法。
【請求項１５】
請求項１４記載の方法をプロセッサシステムに実行させるための命令を有するコンピュータプログラム。
【発明の詳細な説明】
【技術分野】
【０００１】
本発明は、人間の環境における環境物理特性を制御するシステムの分野に関する。
【背景技術】
【０００２】
カラーランプは、人間の心理状態又は生理状態に影響を与えるため、人間の環境における環境照明の特性を変更するのにしばしば利用される。例えば、睡眠中の人は、自分の眠りが増進するように、又は目が覚めるように照明の強さによって影響を受ける。照明のカラーは、例えば、人間の気分などを決定するかもしれない。今日、ユーザ入力に応答して特定のカラーを発光するランプが利用可能である。ユーザは、自らの気分に一致する特定の入力を提供してもよい。しかしながら、ユーザの気分が変わる場合、発光のカラーは同じままであり、ユーザの変更された気分に一致しない。
【０００３】
公開された特許出願ＥＰ２１００５５６は、人間の心理生理状態を変更する装置及び方法を開示している。検出された心理身体信号に基づき、人間の心理生理状態の推定が取得される。この推定に基づく刺激が人間に提供される。提供された刺激は、人間の心理生理状態に影響を与える。この刺激は、例えば、音声、光、ビデオ、触覚又は嗅覚の刺激などである。当該装置及び方法は、予めプログラムされた知識及び／又は予めプログラムされたアルゴリズムを利用して、当該刺激が人間の心理生理状態に一致するように、当該人間に提供される必要がある刺激を決定する。当該装置及び方法は、例えば、特定の強度又は特定のカラーに環境照明を設定するため、ユーザに好まれる刺激パラメータの特定のセットにスイッチするため、ユーザにより利用可能なインタフェースを有しない。
【０００４】
一般に、ユーザは、ユーザ入力を提供することによって刺激を介し環境パラメータを制御するシステムの現在の動作を変更する可能性を有していることを好む。供給されたユーザ入力は、ユーザ入力の供給時にユーザの気分に一致する刺激に最もおそらく関連する。供給されたユーザ入力はまた、例えば、体温を上げるために室温を上げたり、又はユーザが文書をより容易に読むことができるように照明の強さを上げるなど、機能的要件に関連するものであってもよい。従って、供給されたユーザ入力は、ユーザがシステムの特定の動作を要求する一時的な状況に関するものである。しかしながら、一般に、システムは、いくつかの実験に基づく特定の物理モデル又は統計モデルに従って刺激を制御することを意図する。
【発明の概要】
【発明が解決しようとする課題】
【０００５】
本発明の課題は、人間の環境に関する物理特性を制御するためのよりユーザフレンドリなシステムを提供することである。
【課題を解決するための手段】
【０００６】
本発明の第１の態様は、請求項１記載の人間の環境における環境物理特性を制御するシステムを提供する。本発明の第２の態様は、請求項１２記載のランプを提供する。本発明の第３の態様は、請求項１３記載の電子装置を提供する。本発明の第４の態様は、請求項１４記載の人間の環境における環境物理特性を制御する方法を提供する。本発明の第５の態様は、請求項１５記載のコンピュータプログラムプロダクトを提供する。好適な実施例が、従属形式の請求項に規定される。
【０００７】
本発明の第１の態様による人間の環境における環境物理特性を制御するシステムは、環境影響手段、センサ、入力手段及びコントローラを有する。環境影響手段は、環境物理特性の所望される影響を示す制御信号に応答して、環境物理特性を変更する。センサは、人間の生理状態を表すセンサ信号を取得する。入力手段は、環境物理特性に関するユーザ設定を表すユーザ設定信号を取得する。コントローラは、センサ信号とユーザ設定信号とを受信し、センサ信号にオリジナル関数を適用することによって制御信号を生成する。ユーザ設定信号の受信に応答して、コントローラは、適応された関数を規定する。適応された関数は、ユーザ設定の受信時に生じるセンサ信号に適用される場合、ユーザ設定の受信時に生じるセンサ信号にオリジナル関数が適用されるときより環境物理特性をユーザ設定により近いものにする制御信号を提供する。その後、コントローラは適応された関数を適用する。その後、適用された適応された関数は、他の関数に対して漸進的に変更される。
【０００８】
ユーザがユーザ設定を入力した時点後の短い時間間隔において、環境影響手段は、環境物理特性がユーザ設定により近くなるように環境の物理特性を変更する。コントローラは、ユーザ設定の受信時に生じるセンサ信号に適応された関数が適用されたときに、ユーザ設定により近い制御信号を提供する適応された関数を適用するためである。システムは受信したユーザ設定に可能な限りすぐに応答し、環境物理特性の影響がユーザ設定に関連するように応答するため、ユーザは、システムをよりユーザフレンドリなシステムとして体感する。
【０００９】
さらに、システムは、ユーザ設定の受信後の期間において適用された適応された関数を漸進的に変更する。受信したユーザ設定が、ユーザにより提供された時点においてユーザに最も関連性があるものであるため、システムは、ユーザ設定の受信後の期間に適用された適応された関数を漸進的に変更する。この変更は、例えば、ユーザが一般的には自らの生理状態に一致する快適なレスポンスとしてシステムのレスポンスを体感する事前に知られている関数に介して関数を変更することを可能にする。
【００１０】
提供されたユーザ設定は、人間の生理状態に関して特定のパターンに従っていないことを意味するある程度ランダムなものであってもよい。同一ユーザ又は他のユーザが以降にシステムを利用する場合、ユーザは、ランダム性の高い又は低い提供された入力設定に基づくシステムの動作と直面することを所望しない。従って、単一のユーザ又は他のユーザは、ある程度までしかユーザ設定により困惑せず、すなわち、漸進的に変更される関数は、依然として適用された適応された関数にある程度まで依存する。
【００１１】
実施例では、適応された関数は、ユーザ設定の受信時に生じるセンサ信号に適用される場合、環境物理特性をユーザ設定に実質的に等しくなるようにする制御信号を提供する。
【００１２】
システムは、環境物理特性の影響が提供されたユーザ設定に従う場合、よりユーザフレンドリなものとして体感される。
【００１３】
他の実施例では、コントローラは、ユーザ設定信号の受信時点前には前の関数を提供し、適応された関数を規定するため、前の関数と限定的な帯域幅を有するさらなる関数とを合成するよう構成される。限定的な帯域幅は、さらなる関数がゼロと実質的に異なる値を提供する所定の範囲であり、ユーザ設定信号（１３２）の受信時に生じるセンサ信号の値のまわりに構成される。
【００１４】
すなわち、ユーザ設定信号の受信に応答して関数を規定しながら、コントローラは、ユーザ設定信号の受信時点前に適応された関数を利用し、限定的な帯域幅の関数を利用し、当該帯域幅は、当該時点におけるセンサの値のまわりに構成される。前の関数と限定的な帯域幅を有する関数とを合成することは、前の関数に限定的な帯域幅を有する関数を加算し、前の関数から限定的な帯域幅を有する関数を減算し、又は双方の関数の加重平均を生成するなどの１以上の数学演算を有してもよい。これらの関数の合成は、センサ信号がユーザ設定信号の受信時点のセンサ信号に実質的に等しい場合にユーザ設定を有する制御信号を適応された関数が提供するという条件を適応された関数が依然として充足するように、実行される必要があることに留意すべきである。
【００１５】
前の関数は最もおそらく、人間の生理状態と環境物理特性との間の所望のモデルベース関係を一般に良好に表す関数であるため、当該時点の直前に適用された関数を利用することが効果的である。従って、適応された関数は、ユーザ設定によりある程度影響され、かなりの程度モデルに依然として基づく。
【００１６】
さらに、限定的な帯域幅を有する関数の利用の合成は、適応された関数がユーザ設定の受信時点におけるセンサ信号の値のまわりの帯域幅においてのみ前の関数と異なるため、効果的である。従って、適応された関数が適用され、人間の生理状態が有意に変化する場合、適応される関数は、前の関数に従って動作する。生理状態の有意な変化は、帯域幅の範囲外の値アニセンサ信号の値が変化するような変化により規定される。上述されるように、前の関数は、センサ信号の値がセンサ信号と制御信号との間の関係を規定する特定のモデルを有する。生理状態が大きく変化した場合、システムのモデルベースの動作に戻ることが効果的である。
【００１７】
他の実施例では、コントローラは、ユーザ設定信号の受信時点前の前の関数を適用し、適応された関数を規定するため、前の関数と対称関数とを合成するよう構成され、対称関数は、ユーザ設定受信時点のセンサ信号の値のまわりに構成される。
【００１８】
対称関数と前の関数との合成は、適応された関数を適用するシステムが、センサ信号の値が増加又は減少するかにかかわらず、同様の動作を示すため、効果的である。これは、ユーザフレンドリな動作として体感される。さらに、対称関数は、限定的な帯域幅を有するように選択されてもよい。
【００１９】
実施例では、さらなる関数は、ガウス関数に基づく。
【００２０】
ガウス関数は、平均値を中心とする対称関数である。ガウス関数の平均は、ユーザ設定受信時点におけるセンサ信号の値に関して関数が対称となるように選択されてもよい。ガウス関数のさらなる特性は、関数への入力変数が平均値のまわりのある間隔の範囲外であるとき、関数がゼロに実質的に等しい値を提供することである。従って、ガウス関数が前の関数に対してシフト、加算又は減算される場合、当該時点におけるセンサ信号の値から十分離れた入力値における適応された関数の動作は、前の関数のものに実質的に等しい。これは、ユーザ設定が“環境物理特性のユーザ設定”と“当該時点におけるセンサ信号の値”との単なる組み合わせを表し、当該時点におけるセンサ信号の値から十分離れたセンサ信号と関係を有さないため、効果的である。
【００２１】
限定的な帯域幅を有する関数はガウス関数に基づき、それがシフト及び／又はスケーリングされたガウス関数であってもよいことを意味することに留意すべきである。
【００２２】
実施例では、コントローラは、センサ信号が当該時点のセンサ信号の値のまわりの所定の可変性間隔の範囲内で変動する場合、制御信号が所定の偏差間隔の範囲内に維持されるように、適応された関数を規定する。
【００２３】
ユーザがユーザ設定を提供し、システムがユーザ設定に従って環境物理特性に影響を与える場合、ユーザは、自らの生理状態が特定の可変性間隔の範囲内に維持される場合、環境物理特性が大きく変化することを所望しない。システムのこの動作は、例えば、適応された関数が当該条件を充足するように、十分大きな分散（σ）を有する正規分布を選択することによって、当該時点におけるセンサ信号の値のまわりの範囲内で適度にフラットに維持されるような対称関数を選択することによって取得されてもよい。
【００２４】
生理状態が安定的な状態として人間により体感されている間、センサは人間の生理状態を測定し、人間の測定された特性がある間隔の範囲内で変化してもよい。例えば、人間の心拍は、当該人間が同一の生理状態に依然としてある間、特定の間隔の範囲内で変化する。測定された特性の変化は、可変性間隔の基礎を形成してもよい。
【００２５】
他の実施例では、コントローラは、ユーザ設定信号（１３２）の受信時に生じるセンサ信号の値のまわりの所定の範囲外の値によるセンサ信号を受信した後に限って、適用された関数の漸進的な変更を開始する。
【００２６】
本実施例では、ユーザが所定の誤差マージンを許容し、当該時点における生理状態に実質的に等しい生理状態にある限り、本実施例のシステムは、適用された適応された関数を漸進的には変更しない。従って、環境物理特性の影響は、ユーザ設定に従って維持される。ユーザは、システムのこの動作をユーザフレンドリとして体感する。システムはユーザの設定を聞いているようであるためである。しかしながら、ユーザの生理状態が所定のか変性マージン以上に変化した場合、システムは、適用された適応された関数を漸進的に変化し始める。
【００２７】
前の実施例で説明されたように、センサは、人間が同一の生理状態にある間、可変性間隔の範囲内の値を提供してもよい。本実施例は、人間が同一の生理状態に依然としてある間、制御信号が変化することを防ぐ。
【００２８】
実施例では、コントローラは、標準的な所定の関数を格納する。適用された関数の漸進的な変化は、標準的な所定の関数に対するものである。
【００２９】
従って、言い換えると、他の関数は標準的な所定の関数である。標準的な所定の関数は、結果が統計モデルにおいて合成される多数のフィールドテストに基づく関数であってもよく、又は物理モデルに基づくものであってもよい。従って、標準的な所定の関数は、ユーザ設定の受信時点を除き、システムの快適な又は所望のレスポンスとしてユーザにより一般に体感されるシステムの所望の動作を表す。従って、適用された適応された関数を標準的な所定の関数に対して変更することは効果的であり、所望のレスポンスとして標準的な所定の関数に従ってシステムのレスポンスをシステムの大部分のユーザが体感することが事前に知られているためである。
【００３０】
他の実施例では、コントローラは、ユーザ設定信号の受信時点の前において前の関数を適用する。コントローラはさらに、適応された関数の規定後、適応された関数と前の関数とを合成することによって、他の関数を規定する。
【００３１】
すなわち、他の関数は、ユーザ設定信号の受信時点の前にコントローラにより適用された関数とユーザ設定とに部分的に基づくものとなるように生成される。従って、他の関数は、ある程度までであるが、ユーザ設定を考慮し、当該時点前の履歴に基づく関数である。複数の時点において、ユーザが自らの設定を提供する場合、他の関数は、ユーザ設定の受信前の関数と、受信したユーザ設定の履歴とに基づく関数に対して繰り返し進化する。これは、システムがユーザに適応するため、ユーザフレンドリである。特に、１人のユーザがユーザ設定の整合性のあるスキームを提供する場合、他の関数は、当該整合性のあるスキームを明確に含む関数に対して進化する。
【００３２】
前の関数と適応された関数との合成は、適応された関数を前の関数に加算したり、又は適応された関数を前の関数から減算したりなどの１以上の数学的処理を有してもよい。
【００３３】
さらなる実施例では、他の関数は、前の関数と適応された関数との加重平均である。
【００３４】
加重平均を生成することによって、他の関数は、情報が前の関数を介して提供される過去の統計表現と、情報が適応された関数を介し提供される現在のユーザ設定とである。統計表現は、当該統計表現を適用するシステムは快適なシステムとして大部分のユーザにより最もおそらく体感されるため、効果的である。
【００３５】
実施例では、環境物理特性は、環境の光の特性、環境における音の特性、温度、湿度、環境におけるオブジェクト又はオブジェクトの一部の特性若しくは動き、人間が物理的に接触するオブジェクトの特性若しくは動き、又は環境の臭いの少なくとも１つを有する。
【００３６】
環境物理特性は、視覚、聴覚、触覚、固有感覚及び嗅覚組織などの人間の感覚器官の少なくとも１つによって検知された人間の環境の何れかの物理特性であってもよい。
【００３７】
人間が物理的に接触するオブジェクトの特性又は動きは、オブジェクトの温度や動きなど、オブジェクトと人間との間の接触エリアにおいて人間により感じられる物理特性に関する。人間が直接的に接触しないオブジェクト又は特性はまた、例えば、視覚的検出などによって人間により検知されてもよい。このような特性は、オブジェクトがカラーを有し、又はパターンや特定の速度に従って移動することであってもよい。
【００３８】
実施例では、環境影響手段は、発光装置、制御可能な光フィルタ、制御可能なカーテン、音声発生装置、音声キャンセレーション装置、加熱装置、冷却装置、加湿器、アクチュエータ、ｏｄｏｕｒｉｓｅｒ、又は触覚装置の少なくとも１つを有する。
【００３９】
環境影響手段の特定の実施例では、環境の物理特性は、例えば、制御信号に従って特定のカラーの光を即座に提供することによって、受信した制御信号に応答してすぐに変更されてもよい。環境影響手段の他の実施例では、環境の物理特性の変更は徐々に実行され、例えば、制御信号が温度変更を必要とする温度を示すケースなどである。加湿器又は冷却装置の加熱又は冷却能力に依存して、また環境の熱容量に依存して、ある期間後に限って、温度は制御信号により示されるレベルに実質的に等しくなる。
【００４０】
例えば、制御可能なエアポンプを有する膨張可能なマットレスがまた、環境影響手段であってもよいことに留意すべきである。膨張可能なマットレスを有するシステムでは、センサは、睡眠中の人間の生理状態に関する情報を取得し、状態に応じて、睡眠中の人間の生理状態に一致するマットレスの固さを取得するため、空気がマットレスに注入又は排出される。ユーザ設定は、例えば、人間が睡眠期間の始めの間にマットレスの固さを制御するため、人間が就寝する直前にシステムに提供される。
【００４１】
さらなる実施例では、センサ信号は、皮膚温度、体幹温度、皮膚伝導性、血圧、心拍、心拍可変性、人間の動き、呼吸頻度、呼吸頻度可変性、ＥＥＧアクティビティ、目のアクティビティ、人間に直接関連する音の特性又はＥＣＧ情報の人間の生理状態の少なくとも１つに関する情報を有する。
【００４２】
人間の生理状態に関する情報は、センサにより取得され、センサ信号によりコントローラに送信される。当該情報は、人間に関する何れかのタイプの情報であってもよい。センサは、例えば、ＥＣＧ若しくはＥＥＧアクティビティ、体幹温度若しくは皮膚伝導性を測定するため、人間に直接接触し、又は人間の近傍に配置され、人間の特性を検出するセンサであってもよい。このようなセンサは、人間により生じた音を検出するマイクロフォンであってもよいし、皮膚伝導性を検出する赤外線センサであってもよいし、例えば、呼吸の動きなどの人間の動きに関する情報を取得するカメラやビデオ処理システムであってもよい。
【００４３】
本発明の第２の態様によると、本発明の第１の態様によるシステムを有するカラー及び強度調節可能なランプが提供される。
【００４４】
本発明の第３の態様によると、本発明の第１の態様によるシステムを有する電子装置が提供される。
【００４５】
本発明の第４の態様によると、人間の環境における環境物理特性を制御する方法が提供される。本方法は、センサによりセンサ信号を取得するステップを有する。センサ信号は、人間の生理状態を表す。センサ信号は、コントローラに提供される。さらなるステップでは、コントローラは、センサ信号にオリジナル関数を適用することによって、制御信号を生成する。制御信号は、環境物理特性の所望される影響を示す。制御信号は、環境影響手段に提供される。環境物理特性は、制御信号に応答して環境影響手段により変更される。さらなるステップでは、ユーザ設定信号は、入力手段により取得される。ユーザ設定信号は、環境物理特性に関するユーザ設定を表す。ユーザ設定信号は、コントローラに提供される。さらなるステップでは、コントローラは、ユーザ設定信号の受信に応答して適応された関数を規定する。適応された関数は、ユーザ設定の受信時に生じるセンサ信号に適用される場合、ユーザ設定信号の受信時に生じるセンサ信号にオリジナル関数が適用されるときより環境物理特性をよりユーザ設定に近いものにする制御信号を提供する。その後、適応された関数は、制御信号を生成するため、コントローラにおいて適用される。さらなるステップでは、コントローラは、他の関数に対して適用された適応された関数を漸進的に変更する。
【００４６】
本発明の第５の態様によると、本発明の第４の態様による方法をプロセッサシステムに実行させるための命令を有するコンピュータプログラムプロダクトが提供される。
【発明の効果】
【００４７】
本発明の第２の態様によるランプ、本発明の第３の態様による電子装置、本発明の第４の態様による方法及び本発明の第５の態様によるコンピュータプログラムプロダクトは、本発明の第１の態様によるシステムと同一の効果を提供し、システムの対応する実施例と同様の効果を有する同様の実施例を有する。
【００４８】
本発明の上記及び他の態様は、後述される実施例を参照して明らかになるであろう。
【００４９】
本発明の上述した実施例、実現形態及び／又は態様の２以上が有用とみなされる何れかの方法により組み合わせ可能であることは、当業者により理解されるであろう。
【００５０】
上述されたシステムの改良及び変更に対応するシステム、方法及び／又はコンピュータプログラムプロダクトの改良及び変更は、本記載に基づき当業者により実施可能である。センサ信号は、例えば、人間の複数の生理パラメータを表すより大きなサイズの情報を有し、制御信号は、複数の環境物理特性の所望される影響などのより大きなサイズの情報を有してもよい。関数は、ベクトルを他のベクトルにマッピングする関数であってもよく、各ベクトルは多次元情報を表す。
【図面の簡単な説明】
【００５１】
【図１】図１は、本発明の第１の態様によるシステムを概略的に示す。
【図２】図２は、対称的関数とある関数との合成を概略的に示し、当該関数の漸進的変化を示す。
【図３】図３は、正規分布とある関数との合成を概略的に示し、関数の加重平均である他の関数を示す。
【図４】図４は、相対的に短い時間間隔内で２回ユーザフィードバックが提供されたときの関数の進化を概略的に示す。
【図５ａ】図５ａは、本発明の第２の態様によるランプを概略的に示す。
【図５ｂ】図５ｂは、本発明の第３の態様による電子装置を概略的に示す。
【図６】図６は、本発明の第４の態様による方法のフロー図を示す。  異なる図面において同一の参照番号により示されるアイテムは、同一の構造的特徴及び同一の機能を有するか、又は同一の信号であることに留意すべきである。このようなアイテムの機能及び／又は構造が説明された場合、詳細な説明において繰り返しの説明は必要でない。
【００５２】
図面は、純粋に図表であり、スケーリングして描画されていない。特に簡単化のため、サイズは強く誇張されている。
【発明を実施するための形態】
【００５３】
図１において、第１実施例が示される。システム１００は、人間１０５の環境における環境物理特性を制御する。システムは、環境影響手段１０２、センサ１０４、入力手段１３４及びコントローラ１３０を有する。環境影響手段１０２は、制御信号１１２に応答して、環境物理特性を変更する。制御信号１１２は、環境特性の所望される影響を示す。センサ１０４は、人間１０５の生理状態を表すセンサ信号１２２を取得する。入力手段は、環境物理特性に関するユーザ設定を表すユーザ設定信号１３２を取得する。コントローラ１３０は、センサ信号１２２とユーザ設定信号１３２とを受信する。コントローラ１３０は、関数１１４をセンサ信号１２２に適用することによって、制御信号１１２を生成する。ユーザ設定信号１３２に受信に応答して、コントローラ１３０は、適応された関数が、ユーザ設定信号１３２が受信された時点のセンサ信号にセンサ信号１２２が実質的に等しい場合、ユーザ設定を有する制御信号を提供するように、適応された関数を規定する。適応された関数はコントローラ１３０により適用される。ユーザ設定信号１３２が受信された時点後、コントローラ１３０は、適用された適応された関数を徐々に変更する。
【００５４】
図１に示されるように、環境影響手段は、制御信号１１２の受信に応答して環境物理特性を変更可能な何れかの手段であってもよい。環境物理特性が、例えば、光である場合、ランプ１０６が利用されてもよい。温度が変更される必要がある場合、ヒータ１０８が利用されてもよく、又は他の実施例では、環境物理特性は、スピーカ１１０により影響を受ける音である。
【００５５】
異なるセンサが、人間１０５の生理状態を表すセンサ信号１２２を取得するのに利用されてもよい。マイクロフォン１１８は、人間１０５に関する音を検出するのに利用されてもよく、ウェブカム１２０は、例えば、人間１０５の目の活動や人間１０５の動きを検出してもよい。伝導性及び温度センサ１１６は、人間１０５の皮膚に接触するパッドを有し、皮膚伝導値と人間１０５の皮膚の温度を表す値とを有する信号を生成してもよい。
【００５６】
入力手段１３４は、人間１０５が環境物理特性に関連する入力を提供することを可能にする何れかの手段であってもよい。コントローラ１３０は、この入力をユーザ設定として解釈し、適応された関数をこれに従って規定する。入力手段の具体例として、リモコン１２４、キーパッド１２８、又は人間１２６が何れの環境温度を好むかを示すことを可能にするあるタイプのサーモスタット１２６である。
【００５７】
環境影響手段１０２、センサ１０４及び入力手段１３４の具体例に説明されるように、環境物理特性は、人間１０５の環境に関する何れかの物理特性であってもよい。非網羅的な具体例のリストは、環境の光の特性、環境における音の特性、温度、湿度、環境におけるオブジェクト又はオブジェクトの一部の特性又は動き、人間が物理的に接触するオブジェクトの特性又は動き、又は環境の臭いからなる。
【００５８】
図２は、関数の規定と、当該関数の他の関数に対する漸進的変化とを概略的に示す。前の関数２０２は、センサ信号の値（ｘ軸上）と制御信号の値（ｙ軸上）との間の関係を示す。前の関数２０２は、ユーザ設定信号がコントローラにより受信された時点の直前にコントローラにより利用されている。図２において、ユーザ設定信号がコントローラにより受信された時点は、ｔ＝０として規定され、前の関数は、時点ｔ＝０−Δ１を有し、Δ１は短い期間である。関数２０４は、時点ｔ＝０におけるセンサ信号の値２０６に関して対称的な対称関数である。
【００５９】
コントローラは、ｔ＝０におけるユーザ設定信号を受信することに応答して適応された関数２１２を規定する。適応された関数２１２は、対称関数のスケーリングされたものを前の関数２０２に加えることによって、前の関数２０２と対称関数２０４とを合成することによって規定される。Δ２により示される短い時間間隔後、時点ｔ＝０＋Δ２において、適応された関数２１２の生成が終了し、適応された関数２１２が、制御信号を生成するためコントローラにより適用される。適応された関数２１２は、特定の状態を充足しなければならず、すなわち、ポイント２１４が適応された関数２１２に含まれる必要がある。ポイント２１０は、時点ｔ＝０におけるセンサ信号の値に実質的に等しいｘ値２１４と、環境物理特性に関して受信したユーザ設定に実質的に等しいｙ値２０８とによって規定される。従って、コントローラが適応された関数２１２を適用する限り、コントローラは、センサ信号が時点ｔ＝０におけるセンサ信号の値に等しいときのユーザ設定を有する制御信号を生成する。
【００６０】
しかしながら、時点ｔ＝０＋Δ２の後、コントローラは、適用された適応された関数２１２を他の関数２１８に徐々に変更する。図２の例では、当該他の関数２１８は、前の関数２０２に等しい。関数２１６は、例えば、ｔ＝２において適用された適応された関数２１２を徐々に変更する時間の後にコントローラにより適用される関数である。図面は、関数２１６の直線が、ユーザ設定を表すポイントであるポイント２１０を通過しないことを示す。関数２１６の直線は依然として、センサ信号が時点ｔ＝０におけるセンサ信号の値２１４に近接するときにポイント２１０に延びることが示される。漸進的な変化は、コントローラにおいて適用される関数が時点ｔ＝２の後の他の関数２１８の長さに等しくなるように、相対的にゆっくりしたものである。本例における可変的な時間値は特定の単位を表すことなく提示されていることに留意すべきである。光の強さに影響を与える実際的な具体例では、他の関数への漸進的な変更が終了するまで３時間までかかるかもしれない。従って、図２の例では、ｔ＝２はｔがｔ＝０の後の２／４時間であることを意味しｔ＞＞２は、例えば、ｔ＝１２などを意味する。しかしながら、他の実施例では、特定の環境物理特性に応じて、漸進的な変更がより速いものであってもよいし、又はよりゆっくりとしたものであってもよい。
【００６１】
実施例では、前の関数２０２は、予めプログラムされた関数としてコントローラに格納されている標準的な所定の関数であってもよい。この関数は、複数のフィールドテストに基づくものであってもよく、本発明の第１の態様によるシステムにおいて利用されるとき、ユーザによって便利な及び／又は望ましい動作として規定されるシステムの動作を生じさせる関数の統計平均を表すものであってもよい。この標準的な所定の関数はまた、センサ信号と制御信号との間の所望の関係を表す物理モデルに基づくものであってもよい。本実施例では、他の関数２１８がこの標準的な所定の関数である。従って、ユーザ設定信号の受信からある期間後、コントローラは、システムが最初に利用されたときにコントローラにより利用された関数に対して適用された適応された関数２１２を変化させる。
【００６２】
図３は、関数系列による本発明の他の実施例を示す。時点ｔ＝０の直前の時点である時点ｔ＝０−Δ１において、前の関数３０２がコントローラにより適用される。時点ｔ＝０において、センサ信号の値が値３０６に実質的に等しい。平均値３０６を有するガウス関数である正規分布３０４が、前の関数３０２と合成される。平均値３０６は、ユーザ設定信号がコントローラにより受信された時点である時点ｔ＝０におけるセンサ信号の値である。正規分布は、後述される特定の分散を有する。
【００６３】
時点ｔ＝０において、コントローラは、ユーザ設定信号に従って適応された関数３１０を規定する。前の関数３０２と正規分布３０４とは、ｔ＝０＋Δ２において、適応された関数３１０が取得されるように合成される。図３の具体例では、正規分布３０４のスケーリングされたものが、ポイント３０８が適応された関数３１０上にあるように、前の関数３０２から減算される。ポイント３０８において、適応された関数は、センサ信号が時点ｔ＝０において受信されたセンサ信号の値に等しい場合、ユーザ設定を有する制御信号を提供する。適応された関数を規定した後、コントローラは、制御信号を生成するため、適応された関数３１０を適用する。
【００６４】
適応された関数３１０がコントローラにより取得されると、コントローラはさらに、他の関数３１４を取得する。当該他の関数３１４は、前の関数３０２と適応された関数３１０との加重平均である。本例では、前の関数３０２のウェイトは１２であり、適応された関数３１０のウェイトは１である。加重平均である当該他の関数３１４を取得することによって、ユーザ設定信号を受信する影響は当該他の関数３１４に依然として存在し、同一時点に、当該他の関数３１４は前の関数３０２とほとんど同じ特性を有する。
【００６５】
図３の例では、コントローラは、ｔ＝０＋Δ２の後、適用された適応された関数３１０を他の関数３１４に徐々に変化させ始める。この漸進的な変化は、ｔｍａｘより長くない時間間隔に限定される。従って、図３に示されるように、ある時間後、コントローラは関数３１２を適用し、最終的には、ｔ＝ｔｍａｘから当該他の関数３１４がコントローラにより適用される。身体環境特性が、例えば、室温であり、実際的な実施例では、ｔｍａｘが１０時間の期間である場合、他の関数に対する漸進的な変化は１０時間後に終了される。
【００６６】
図４において、適応された関数４０６の他の例が示される。時点ｔ＝０において、時点ｔ＝０＋Δ１において最初に適応された関数４０６のポイント４０４に含まれるユーザ設定が受信された。最初に適応された関数４０６は、例えば、前の関数と正規分布とを合成した結果である。最初に適応された関数４０６が、コントローラにより適用されると、以下の特性、すなわち、コントローラにより受信されたセンサ信号の値が所定の可変性間隔４０８の範囲内で変化する場合、生成された制御信号の値は所定の偏差４０２の範囲内で変動するように、正規分布の分散が選択される。図４の例では、所定の可変性間隔４０８は、所定の偏差間隔４０２よりはるかに小さい。従って、制御信号はユーザ設定に近いままであり、制御信号の値は相対的に小さな所定の偏差間隔４０２の範囲内でのみ変動し、センサ信号は（やや）より大きく変動し、これは、センサ信号の値がより大きな所定の可変性間隔４０８の範囲内で変動しうることを意味する。
【００６７】
可変性間隔４０８は、センサにより検知される物理特性の通常の変化に関連するものであってもよいことに留意すべきである。例えば、人間の心拍は平均値のまわりである程度まで常に変動し、センサ値が可変性間隔４０８の範囲内で変動する場合、制御信号の値を所定の偏差間隔の範囲内に維持することが効果的である。
【００６８】
図４の例では、時点ｔ＝５において、他のユーザ設定がユーザにより提供された。コントローラは、時点ｔ＝５の直前にコントローラにより利用された徐々に変動する最初に適応された関数を利用し、ｔ＝５＋Δ２において図示された第２の適応された関数４１４を取得するため、それと正規分布関数とを合成する。最初に適応された関数４０６の漸進的な変動は、第２の適応された関数４１４において観察されてもよく、これは、押し出し４１０が、最初に適応された関数４０６よりポイント４０４方向により少なくしか突出していない。第２の適応された関数４１４を規定した後、コントローラは、制御信号を生成するため第２の適応された関数４１４を適用する。
【００６９】
図４の下部に示されるように、漸進的な変動は、ｔ＝５＋Δ２の後に続く。例えば、ｔ＝１５において、徐々に変化された第２の適応される関数４２０がコントローラにより適用される。バンプ４１６は押し出し４１０より小さく突出し、押し出し４１８はポイント４１２の方向により小さく突出する。徐々に変化する第２の適応された関数４２０からわかるように、ユーザ設定を２回適用することの影響は、徐々に変化する第２の適応された関数４２０に存在するが、受信したユーザ設定の影響は徐々に低減する。
【００７０】
他の実施例では、漸進的な変化は時点ｔ＝０＋Δ１の直後には開始されず、時点ｔ＝０におけるセンサ信号の値のまわりの所定の間隔４０８の外部のセンサ信号の最初の受信後に限って時点ｔ＝０の後において開始される。従って、ユーザ設定が当該人間によって適用された時点において所定の生理状態の範囲内にある生理状態に人間がある限り、コントローラにより生成された制御信号の値は当該範囲４０２の範囲内であり、このような期間中のシステムの応答は、当該人間により提供されたユーザ設定とほぼ同じである。
【００７１】
以降の実施例は、数学的な具体例により説明される。コントローラは、関数ｍを適用する。
【００７２】
【数１】
2013527967.tif 000003
ここで、ｃは制御信号を表すベクトルであり、ｘはセンサ信号を表すベクトルであり、ｔは時間を表す変数である。ベクトルを利用することによって、制御信号及び／又はセンサ信号は多次元信号であってもよいことが示され、環境影響手段が１以上の身体環境特性に影響を与える可能性があり、センサが人間の１以上の物理特性を検知することを意味する。
【００７３】
本発明の第１の態様によるシステムが最初に利用され、時点ｔ＝０により示される時点では、予めプログラムされた関数ｍ０（ｘ）がコントローラにより適用される。ユーザがシステムにユーザ設定を提供する時点まで、この予めプログラムされた関数ｍ０が適用される。
【００７４】
ユーザがユーザ設定を提供する時点は、ｔ＝ｔ０により示される。ユーザ設定信号は、ユーザ設定ベクトルｃ＊により表される。当該時点において、ユーザは、ｔ０におけるセンサ信号の値を有するベクトルであるベクトルｘ＊により表される特定の生理状態にある。ユーザ設定信号を受信することに応答して、コントローラは、
【００７５】
【数２】
2013527967.tif 000004
の条件により表される受信したユーザ設定に関する関数を規定する必要がある。
【００７６】
さらなる条件は、ｔ０後の長い期間でコントローラにより適用される他の関数が、ｘ＊のまわりのエリアの予めプログラムされた関数からのユーザ設定ベクトルｃ＊の偏差と予めプログラムされた関数ｍ０（ｘ）の加重平均であるということであってもよい。
【００７７】
【数３】
2013527967.tif 000005
ここで、Ｇはヌルベクトル０を中心として、Ｇ（０）＝１であり、ウェイトｗは予めプログラムされた関数ｍ０（ｘ）の統計的信頼度により決定される。ｍ０（ｘ）がｎ＝１００の前の実験に基づく場合、ｗ＝１／ｎ＝１／１００が利用される。
【００７８】
以下の時間に依存する関数ｍ２は、条件（２）及び（３）を充足する。
【００７９】
【数４】
2013527967.tif 000006
ここで、他の関数ｍｉｎｆ（ｘ）は、
【００８０】
【数５】
2013527967.tif 000007
である。ｅｒｒ（．．．）は、分散１の正規化された誤差関数又はガウス関数であり、τは、当該関数が他の関数ｍｉｎｆ（ｘ）により表される加重平均に収束するレートを制御するパラメータである。
【００８１】
従って、関数ｍ２（ｘ，ｔ０）は、ユーザ設定信号の受信に応答してコントローラにより規定される適応された関数であり、ｍ２（ｘ，ｔ）は、時点ｔ＝ｔ０後の徐々に変化した適用された適応された関数である。
【００８２】
図５ａでは、本発明の第２の態様によるカラー及び強度調節可能ランプ５００が提示される。ランプ５００は、本発明の第１の態様によるシステムを有する。発光手段５０２は、人間の環境に異なる強さにより異なるカラーの光を発することが可能である。リモコン５０６は、システムにおいて２つの機能を有する。リモコン５０６が人間によりタッチされると、リモコン５０６の底部５０８は、人間の心拍を２つの電極を用いて測定する。１分当たりの心拍数がコントローラに提供される。リモコン５０６はさらに、発光手段５０２により発せられる光のカラーに関して自らのユーザ設定を提供するため人間により利用可能ないわゆるカラーホイールを有する。カラーホイールは、コントローラにユーザ設定を提供する。コントローラは、リモコン５０６又は照明器具５０３に構成されてもよい。コントローラがリモコン５０６内に配置される場合、制御信号がコントローラ５０６から発光手段５０２に送信される。コントローラが照明器具内に配置される場合、ユーザ設定信号とセンサ信号とが、リモコン５０６からコントローラに送信される。コントローラは、前の実施例に従って動作する。リモコン５０６上の他のセレクタが、発光手段５０２により発せられた光の強度に関する自らの嗜好を提供するため、ユーザにより利用されてもよい。
【００８３】
図５ｂは、一体化されたラジオを備えたアラームクロックである電子装置５１０を示す。アラームクロック５１０は、音楽５１２を聞くため就寝する人間によってスイッチオンされてもよい。アラームクロック５１０はさらに、就寝しようとする人間を観察するためのビデオカメラ５１６を有する。ビデオカメラの画像は、“起きる又は寝る”ことに関する人間の生理状態に関する人間の生理状態を検出するため解析される。ビデオ解析手段は、人間の睡眠状態を示すセンサ信号を生成する。アラームクロック５１０のコントローラは、再生される音楽５１２の要求されるボリュームレベルを示す制御信号を生成するため標準的な関数を適用する。この標準的な関数は、人間が睡眠状態にある場合、ボリュームが低レベルに下げられ、人間が目覚めている場合、ボリュームは平均的な強度レベルを有するよう制御される、アラームクロックの以降の動作を表す。人間の生理状態を検出することは、通常の時間間隔で実行され、再生される音楽５１２のボリュームは、適用される関数に従って制御される。
【００８４】
さらに、人間はまた、音楽５１２の音の強度に関して自らの設定を選択するため、ボリューム制御ボタン５１４を利用してもよい。ユーザ設定を受信することに応答して、コントローラは、ユーザ設定の受信時における人間の検出された生理状態について関数がユーザ設定を尊重するよう適用された関数を適応する。しかしながら、関数の適応後、当該関数は標準的な関数に徐々に変化させられる。従って、ユーザ設定の提供からある時間後、アラームクロック５１０は、標準的な関数に従ってボリュームレベルを制御する。
【００８５】
図６は、人間の環境における環境物理特性を制御する方法６００のフロー図を示す。ステップ６０２において、センサ信号がセンサにより取得される。センサ信号は、人間の生理状態を表す。ステップ６０４において、センサ信号がコントローラに提供される。その後、制御信号が、オリジナル関数をセンサ信号に適用することによってコントローラにより生成される（６０６）。制御信号は、環境物理特性の所望される影響を示す。ステップ６０８において、制御信号は、環境影響手段に提供される。その後、環境影響手段は、制御信号の受信に応答して、環境物理特性を変更する（６１０）。ステップ６１２において、ユーザ設定信号が入力手段により取得される。ユーザ設定信号は、環境物理特性に関するユーザ設定を表す。ステップ６１４において、ユーザ設定信号がコントローラに提供される。ユーザ設定信号の受信に応答して、コントローラは、ユーザ設定信号の受信時の生じたセンサ信号に適用された場合、環境物理特性をユーザ設定信号の受信時に生じたセンサ信号にオリジナル関数を適用したときよりユーザ設定により近いものになるような制御信号を適応された関数が提供するように、適応された関数を規定する（６１６）。ステップ６２０において、適応された関数は、制御信号を生成するため、コントローラにより適用される。その後、ステップ６２０において、コントローラは、ユーザ設定信号が受信された時点の後、適用された適応された関数を他の関数に対して徐々に変化させる。
【００８６】
図６に示されるように、本方法のステップは繰り返しループにより実行されてもよい。実際的な実施例では、ユーザ設定がユーザにより入力手段に提供されると、ステップ６０２〜６１０が繰り返しループにより実行され、ステップ６１２〜６１８がステップ６０２〜６１０の実行とパラレルに実行される。さらに、漸進的な変化のステップ６２０は、ステップ６０２〜６１０の実行のすべてのループ中に実行されてもよいし、又はステップ６０２〜６１０の実行とパラレルに一定の時間間隔により実行されてもよい。
【００８７】
上述した実施例は本発明を限定するのでなく説明するものであり、当業者は添付した請求項の範囲から逸脱することなく他の多数の実施例を構成可能であることに留意すべきである。
【００８８】
請求項において、括弧内に設けられた参照符号は、請求項を限定するものとして解釈されるものでない。動詞“有する”及びその派生語の利用は、請求項に記載された以外の要素又はステップの存在を排除するものでない。要素に前置される“ある”という冠詞は、当該要素が複数存在することを排除するものでない。本発明は、複数の異なる要素を有するハードウェアと適切にプログラムされたコンピュータ徒によって実現されてもよい。複数の手段を列記した装置クレームでは、これらの手段のいくつかは単一かつ同一のハードウェアアイテムにより実現されてもよい。特定の手段が互いに異なる従属クレームに記載されているという事実は、これらの手段の組み合わせが効果的に利用可能でないことを示すものでない。
【図１】
2013527967.tif 000008
【図２】
2013527967.tif 000009
【図３】
2013527967.tif 000010
【図４】
2013527967.tif 000011
【図５ａ】
2013527967.tif 000012
【図５ｂ】
2013527967.tif 000013
【図６】
2013527967.tif 000014
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
人間の環境における環境物理特性を制御するシステムであって、
前記環境物理特性の所望される影響を示す制御信号に応答して、前記環境物理特性を変更する環境影響手段と、
前記人間の生理状態を表すセンサ信号を取得するセンサと、
特定の時点における前記環境物理特性に関するユーザ設定を表すユーザ設定信号を取得する入力手段と、
前記センサ信号と前記ユーザ設定信号とを受信し、前記特定の時点の前に前記センサ信号に前の関数を適用することによって前記制御信号を生成するコントローラと、
を有し、
前記コントローラは、
ｉ）前記ユーザ設定信号の受信に応答して、前記前の関数と限定的な帯域幅を有するさらなる関数とを合成することによって適応された関数を規定し、前記適応された関数は、前記特定の時点に生じる前記センサ信号に適用される場合、前記環境物理特性を前記ユーザ設定に実質的に等しくなるようにする前記制御信号を提供し、前記限定的な帯域幅は、前記さらなる関数がゼロに実質的に異なる値を提供する所定の範囲であり、前記ユーザ設定信号の受信時に生じる前記センサ信号の値のまわりに構成され、
ｉｉ）前記適応された関数の規定が終了した後に前記制御信号を生成するため、前記適応された関数を適用し、
ｉｉｉ）前記適用された適応された関数を他の関数に対して徐々に変化させる、
よう構成されるシステムであって、
前記前の関数、前記さらなる関数、前記適応された関数及び前記他の関数は、前記センサ信号の値と前記制御信号の値との間の関係であるシステム。
【請求項２】
前記さらなる関数は、対称関数である、請求項１記載のシステム。
【請求項３】
前記さらなる関数は、ガウス関数に基づく、請求項３記載のシステム。
【請求項４】
前記コントローラはさらに、前記センサ信号が所定の可変性間隔の範囲内で変化する場合、前記制御信号が所定の偏差間隔の範囲内に維持されるように、前記適応された関数を規定するよう構成される、請求項１記載のシステム。
【請求項５】
前記コントローラはさらに、前記ユーザ設定信号の受信時に生じる前記センサ信号の値のまわりの所定の範囲外の値を有する前記センサ信号の受信時に限って、前記適用された適応された関数の漸進的変更を開始するよう構成される、請求項１記載のシステム。
【請求項６】
前記コントローラは、標準的な所定の関数を格納するよう構成され、
前記適用された適応された関数の漸進的変更は、前記標準的な所定の関数に対するものである、請求項１記載のシステム。
【請求項７】
前記コントローラはさらに、前記適応された関数を規定した後、前記適応された関数と前記前の関数とを合成することによって、前記他の関数を規定するよう構成される、請求項１記載のシステム。
【請求項８】
前記他の関数は、前記前の関数と前記適応された関数との加重平均である、請求項７記載のシステム。
【請求項９】
前記環境物理特性は、前記環境の光の特性、前記環境における音の特性、温度、湿度、前記環境におけるオブジェクト又はオブジェクトの一部の特性若しくは動き、前記人間が物理的に接触するオブジェクトの特性若しくは動き、又は前記環境の臭いの少なくとも１つを有する、請求項１記載のシステム。
【請求項１０】
前記センサ信号は、前記人間の生理状態、皮膚温度、体幹温度、皮膚伝導性、血圧、心拍、心拍可変性、前記人間の動き、呼吸頻度、呼吸頻度可変性、ＥＥＧアクティビティ、目のアクティビティ、前記人間に直接関連する音の特性、又はＥＣＧ情報の少なくとも１つに関する情報を有する、請求項１記載のシステム。
【請求項１１】
請求項１記載のシステムを有するカラー及び強度調節可能なランプ。
【請求項１２】
請求項１記載のシステムを有する電子装置。
【請求項１３】
人間の環境における環境物理特性を制御する方法であって、
前記人間の生理状態を表すセンサ信号をセンサにより取得するステップと、
前記センサ信号をコントローラに提供するステップと、
特定の時点前に、前記センサ信号に前の関数を適用することによって、前記環境物理特性の所望される影響を示す制御信号を前記コントローラによって生成するステップと、
前記制御信号を環境影響手段に提供するステップと、
前記制御信号の受信に応答して、前記環境影響手段によって前記環境物理特性を変更するステップと、
前記特定の時点に前記環境物理特性に関するユーザ設定を表すユーザ設定信号を入力手段によって取得するステップと、
前記ユーザ設定信号を前記コントローラに提供するステップと、
前記前の関数と限定的な帯域幅を有するさらなる関数とを合成することによって、適応された関数を規定するステップであって、前記適応された関数は、前記特定の時点に生じる前記センサ信号に適用される場合、前記環境物理特性が前記ユーザ設定に実質的に等しくなるようにする前記制御信号を提供する、前記適応された関数を規定するステップと、
前記適応された関数の規定が終了した後、前記コントローラにおいて前記適応された関数を適用するステップと、
前記適応された関数を他の関数に対して漸進的に変更するステップと、
を有する方法であって、
前記前の関数、前記さらなる関数、前記適応された関数及び前記他の関数は、前記センサ信号の値と前記制御信号の値との間の関係である方法。
【請求項１４】
請求項１３記載の方法をプロセッサシステムに実行させるための命令を有するコンピュータプログラム。
【国際調査報告】
2013527967.tif 000015
2013527967.tif 000016
2013527967.tif 000017